(57)【要約】【課題】  容易に取り付けができ、雨風の侵入を防ぐことが可能な耐久性の高いエレベータ用操作ボタン装置を得る。【解決手段】  乗場側壁面に設置され、ボタン取付穴３が設けられた表板１ａと、表板の裏面に設けられ、その操作面２ａがボタン取付穴３に対向して配置された操作ボタン２と、表板１ａの表面にボタン取付穴３の周囲を取り囲むように配置された突出枠部４と、突出枠部の内側に操作ボタン２の操作面２ａを覆うように設けられた操作部５と、突出枠部４と操作部５との間に設けられ、操作部の表側面を突出枠内面に密着するように常時付勢する弾性体６とを備え、操作部前面側からの押圧により、操作部５を介して背面に設置された操作ボタン２の操作面２ａを操作可能にしたもの。【選択図】      図２
2005162443.tif 000002
【特許請求の範囲】
【請求項１】
乗場側壁面に設置され、ボタン取付穴が設けられた表板と、
前記表板の裏面に設けられ、その操作面がボタン取付穴に対向して配置された操作ボタンと、
前記表板の表面に前記ボタン取付穴の周囲を取り囲むように配置された突出枠部と、
前記突出枠部の内側に前記操作ボタンの操作面を覆うように設けられた操作部と、
前記突出枠部と前記操作部との間に設けられ、前記操作部の表側面を前記突出枠内面に密着するように常時付勢する弾性体とを備え、
前記操作部前面側からの押圧により、操作部を介して背面に設置された操作ボタンの操作面を操作することを特徴とするエレベータ用操作ボタン装置。
【請求項２】
突出枠部は、コの字型の断面を持つ形状であることを特徴とする請求項１記載のエレベータ用操作ボタン装置。
【請求項３】
突出枠部は、Ｚ字型の断面を持つ形状であることを特徴とする請求項１記載のエレベータ用操作ボタン装置。
【請求項４】
突出枠部は、その周囲に表板へ固定するための取付鍔部を設けたことを特徴とする請求項１又は請求項２記載のエレベータ用操作ボタン装置。
【請求項５】
突出枠部は、その内部に操作部の可動範囲を制限するとともに、弾性体を固定するための凸部を設けたことを特徴とする請求項１又は請求項２記載のエレベータ用操作ボタン装置。
【請求項６】
突出枠部は、その下面に排水穴を設けたことを特徴とする請求項１〜請求項５のいずれかに記載のエレベータ用操作ボタン装置。
【請求項７】
操作部は、その後方側にボタン取付穴よりも小さい突起部を設けたことを特徴とする請求項１〜請求項６のいずれかに記載のエレベータ用操作ボタン装置。  
【発明の詳細な説明】
【技術分野】
【０００１】
この発明は、エレベータ用操作ボタン装置に関するものである。
【背景技術】
【０００２】
近年、駅や歩道橋などにもエレベータが設置され、屋外や屋外に準ずる雨風に曝される環境にエレベータが設置されるケースが増えている。このような環境にエレベータを設置する場合、乗場壁面に設置されたエレベータ用操作ボタン装置は常に外気に曝されており、操作ボタンとボタン取付穴との隙間から操作ボタン内部に雨風や埃等が侵入し、故障や誤動作の原因となりやすいという問題点があった。
従来のエレベータ用操作ボタン装置に防水対策を施した例としては、ギャップ充填部材を操作ボタン部に接着し、その後透明保護フィルタを貼付けた外縁体を操作ボタンの表板に接着するものがある（例えば、特許文献１参照）。  
【０００３】
【特許文献１】特開平９−３１５７１０号公報
【発明の開示】
【発明が解決しようとする課題】
【０００４】
従来のエレベータ用操作ボタン装置では、エレベータを据え付けた後、現地で防水対策を実施する際には、前述のような２回の接着作業は煩雑である。また透明保護フィルタを介して操作ボタンを操作するため、透明保護フィルムは繰り返し伸縮することになり破損の可能性があるという問題があった。
【０００５】
この発明は、上述のような課題を解決するためになされたもので、その目的は、容易に取り付けができ、雨風の侵入を防ぐことが可能な耐久性の高いエレベータ用操作ボタン装置を提供することである。
【課題を解決するための手段】
【０００６】
この発明に係るエレベータ用操作ボタン装置は、乗場側壁面に設置され、ボタン取付穴が設けられた表板と、表板の裏面に設けられ、その操作面がボタン取付穴に対向して配置された操作ボタンと、表板の表面にボタン取付穴の周囲を取り囲むように配置された突出枠部と、突出枠部の内側に操作ボタンの操作面を覆うように設けられた操作部と、突出枠部と操作部との間に設けられ、操作部の表側面を突出枠内面に密着するように常時付勢する弾性体とを備え、操作部前面側からの押圧により、操作部を介して背面に設置された操作ボタンの操作面を操作するようにしたものである。
【発明の効果】
【０００７】
この発明は、表板の表面にボタン取付穴の周囲を取り囲むように配置された突出枠部と、突出枠部の内側に操作ボタンの操作面を覆うように設けられた操作部と、突出枠部と操作部との間に設けられ、操作部の表側面を突出枠内面に密着するように常時付勢する弾性体とを備えたので、操作ボタンとボタン取付穴の隙間から水滴・埃などが入り込むことによる誤動作や故障を防止することができる。また突出枠部を表板に取り付ける構造であるため、乗場ボタンに追加加工などが不要でありエレベータ据付後にも容易に設置が可能である。
【発明を実施するための最良の形態】
【０００８】
実施の形態１．
図１はこの発明を実施するための実施の形態１におけるエレベータ用操作ボタン装置を示す正面図、図２は図１のII−II線に沿った操作ボタンの非操作時の断面図、図３は同じく操作ボタンを押圧操作した時の状態を示す断面図、図４は操作ボタンの突出枠部の構造を示す斜視図である。
エレベータ用操作ボタン装置は、乗場ボタンの表板１ａと、この表板１ａに設けられたボタン取付穴３と、表板１ａの裏面に溶接されたねじ１ｂを介して前記表板１ａ裏面から表側にその操作面２ａがボタン取付穴３に対向して配置された操作ボタン２と、表板１ａの表側にボタン取付穴３の周囲を取り囲むように配置され、接着や両面テープ等で貼り付けられたコの字型の断面を持つ突出枠部４と、この突出枠部４の枠状部内側に組み込まれ、操作ボタン２の操作面２ａの前面を覆う逆Ω状の操作部５と、突出枠部４と操作部５の間に挿入され、常時操作部５の表側面５ａを突出枠部内面４ａに密着させるように付勢するコイルばね等の弾性体６とから構成されている。
図３において、操作部５を押圧すると、突出枠部４と操作部５の間に挿入された弾性体６が撓み、操作部５全体が操作ボタン２側に移動して操作面２ａに密着して操作ボタン２を押すことにより操作ボタン２が動作する。操作部５から押圧荷量を取り除くと、弾性体６の復元力により操作部５は押し上げられ、図２の状態に戻る。
この実施の形態１のような構造にすることにより、ボタン２を操作していない図２のような状態では操作部５の表側面５ａが突出枠部内面４ａに密着しており、雨風や埃等が乗場ボタン内部に侵入する隙間がない。通常は操作ボタン２を操作する時間はほんの僅かであり、図３のように操作部５の表側面５ａと突出枠部内面４ａとの間に隙間が生じたとしても、雨風や埃等が侵入する恐れは少ない。また、例えば雨水が操作部５の表側面５ａと突出枠部内面４ａとの間の隙間を通して内部に侵入しようとする際には、雨水は突出枠部４内側のコの字型溝部に溜まることになる。そこで、図４に示すように、突出枠部４の下面に排水穴７を開けておけば、突出枠部４内側のコの字型溝部に溜まった雨水が排水穴７を介して表板１ａ表面に排出されるため、乗場ボタン内部に侵入することはなく、防水性を向上させることが可能である。
この実施の形態１によれば、突出枠部をエレベータ用乗場ボタンの表板前面に配置することにより、操作ボタン部とボタン取付穴部の隙間から水滴・埃などが入り込むことによる誤動作や故障を防止することができる。また突出枠部を前記表板に取り付ける構造であるため、乗場ボタンに追加加工などが不要でありエレベータ据付後にも容易に設置が可能である。
【０００９】
実施の形態２．
図５及び図６はこの発明の実施の形態２におけるエレベータ用操作ボタン装置を示し、図５は図２のＣ部に相当する操作ボタンの非操作時の部分断面図、図６は図３のＣ部に相当する操作ボタンを押圧操作した時の状態を示す部分断面図である。
上記実施の形態１は弾性体６をコイルばねの形状としたが、この実施の形態２では、弾性体６を、図５又は図６に示すような形状の板ばねとしている。このような構造としても実施の形態１と同様な効果が得られる。
【００１０】
実施の形態３．
図７はこの発明の実施の形態３におけるエレベータ用操作ボタン装置を示す正面図である。この実施の形態２は、図１に示す実施の形態１の構成に加えて、突出枠部４の周囲に、表板１ａの表面上と接触する取付鍔部４ｂを設け、この取付鍔部４ｂを利用して突出枠部４を表板１ａの表面に取付ねじ８にて固定することを特徴とする。上記実施の形態１では突出枠部４を接着又は両面テープ等で貼り付け固定していたが、取付ねじ８にて固定することによりいたずらなどで外される恐れが無くなる。
実施の形態１では突出枠部は表板前面に接着等で張り付けるため、接着が不十分な場合やいたずらで取り外される可能性があるが、この実施の形態３によれば突出枠部の周囲の取付鍔部を取付ねじで表板に固定するため、前述のような心配がない。
【００１１】
実施の形態４．
図８はこの発明の実施の形態４におけるエレベータ用操作ボタン装置の部分断面図である。
図８に示すように、実施の形態４においては、コの字型の断面を持つ突出枠部４の内部に上向きの凸部４ｃを設け、この凸部４ｃにコイルばね等の弾性体６を固定すると共に操作部５の可動量を制限する役割を持つことを特徴とする。凸部４ｃにて操作部５の可動量を制限することにより、操作ボタン２に過度の荷重が加わり破損することを防止することができる。
この実施の形態４によれば、凸部を突出枠内に設けることにより、操作部を介して操作ボタン部に荷量を掛け過ぎることがなくなり、過荷量による故障・破損を防止することができる。
【００１２】
実施の形態５．
図９及び図１０はこの発明の実施の形態５におけるエレベータ用操作ボタン装置の部分断面図である。
実施の形態４では、弾性体６はコイルバネの形状としたが、図９及び図１０のように、弾性体６として板ばねを用いた構造のものであっても、実施の形態４と同様な効果が得られる。
【００１３】
実施の形態６．
図１１はこの発明の実施の形態６におけるエレベータ用操作ボタン装置を示す正面図、図１２は操作ボタンの非操作時の横断面図、図１３は同じく操作ボタンを押圧操作した時の状態を示す横断面図である。
この実施の形態６では、操作部５の操作ボタン２側の面に操作面２ａとほぼ同一面積の大きさを持つ突起５ｂを設けたことを特徴とするものである。突起５ｂの形状は、図１２に示すように平らな面を持つものである。実施の形態１では、操作部５の操作ボタン２側の大きさは、表板１ａのボタン取付穴３寸法Ｂによって一意に決められていた。すなわち、突出枠部４の内包寸法Ａ＝ボタン取付穴３寸法Ｂ、操作ボタン２の大きさＣ＝操作部５の操作ボタン側の大きさＤの関係であったが、実施の形態６では、図１２のように突出枠部４の内包寸法Ａがボタン穴寸法Ｂ以上であればよく、様々なサイズの操作ボタンに適用が可能になるものである。
また、操作ボタン２が小さくても、操作部５の大きさ、即ち操作面積を容易に大きくすることが可能である。操作面積を大きくすることにより高齢者の方など、細かな操作が困難な方でも操作ボタンが押しやすくなる。
この実施の形態６によれば、突出枠部をある程度大きくしておき、操作ボタンの操作部サイズに合わせて操作部後方側に突起を設けることにより、様々なサイズの操作ボタンに対応が可能である。
【００１４】
実施の形態７．
図１４はこの発明の実施の形態７におけるエレベータ用操作ボタン装置の非操作時の横断面図である。
この実施の形態７は、操作部５の操作ボタン２側の一部の面を飛び出させて突起５ｂを設けたことを特徴とするものである。このような構造としても実施の形態６と同様な効果が得られる。
【００１５】
実施の形態８．
図１５はこの発明の実施の形態８におけるエレベータ用操作ボタン装置の非操作時の横断面図、図１６は同じく操作ボタンを押圧操作した時の状態を示す横断面図である。
この実施の形態８では、図１５に示すとおり、突出枠部４の形状をコの字型の断面でなくＺ字形断面とし、板ばね等の弾性体６を突出枠部４内包側面部に取り付けたことを特徴とするものである。これにより、弾性体６により操作部５は突出枠部内面４ａに密着するように支持されている。この実施の形態でも、実施の形態６と同様に、突出枠部４の内包寸法Ａがボタン取付穴３寸法Ｂ以上であればよく、色々なサイズのボタンに適用できる。  この実施の形態８では突出枠部４下部の外方周縁部を不要とすれば、その不要な分だけより大きなボタンにも適用でき、幅広い対応が可能となる。また突出枠部４の形状により、取付鍔部４ｂに取付ねじ８（図７と同様のものであるが、図示せず）を設けて固定することも可能である。
この実施の形態８によれば、突出枠部の内側寸法から操作部の操作ボタン側寸法までのサイズの操作ボタンに対応が可能である。
【図面の簡単な説明】
【００１６】
【図１】この発明の実施の形態１におけるエレベータ用操作ボタ装置を示す正面図である。
【図２】図２は図１のII−II線に沿った操作ボタンの非操作時の断面図である。
【図３】同じく操作ボタンを押圧操作した時の状態を示す断面図である。
【図４】操作ボタンの突出枠部の構造を示す斜視図である。
【図５】この発明の実施の形態２におけるエレベータ用操作ボタン装置の非操作時の部分断面図である。
【図６】この発明の実施の形態２におけるエレベータ用操作ボタン装置を押圧操作した時の状態を示す部分断面図である。
【図７】この発明の実施の形態３におけるエレベータ用操作ボタン装置を示す正面図である。
【図８】この発明の実施の形態４におけるエレベータ用操作ボタン装置の部分断面図である。
【図９】この発明の実施の形態５におけるエレベータ用操作ボタン装置の部分断面図である。
【図１０】この発明の実施の形態５におけるエレベータ用操作ボタン装置の部分断面図である。
【図１１】この発明の実施の形態６におけるエレベータ用操作ボタン装置を示す正面図である。
【図１２】この発明の実施の形態６におけるエレベータ用操作ボタン装置の非操作時の横断面図である。
【図１３】この発明の実施の形態６におけるエレベータ用操作ボタン装置を押圧操作した時の状態を示す横断面図である。
【図１４】この発明の実施の形態７におけるエレベータ用操作ボタン装置の非操作時の横断面図である。
【図１５】この発明の実施の形態８におけるエレベータ用操作ボタン装置の非操作時の横断面図である。
【図１６】この発明の実施の形態８におけるエレベータ用操作ボタン装置を押圧操作した時の状態を示す横断面図である。
【符号の説明】
【００１７】
１ａ  乗場ボタンの表板
１ｂ  ねじ
２  操作ボタン
２ａ  操作ボタンの操作面
３  ボタン取付穴
４  突出枠部
４ａ  突出枠部内面
４ｂ  取付鍔部
４ｃ  凸部
５  操作部
５ａ  操作部の表側面
５ｂ  突起
６  弾性体
７  排水穴
８  取付ねじ
【図１】
2005162443.tif 000003
【図２】
2005162443.tif 000004
【図３】
2005162443.tif 000005
【図４】
2005162443.tif 000006
【図５】
2005162443.tif 000007
【図６】
2005162443.tif 000008
【図７】
2005162443.tif 000009
【図８】
2005162443.tif 000010
【図９】
2005162443.tif 000011
【図１０】
2005162443.tif 000012
【図１１】
2005162443.tif 000013
【図１２】
2005162443.tif 000014
【図１３】
2005162443.tif 000015
【図１４】
2005162443.tif 000016
【図１５】
2005162443.tif 000017
【図１６】
2005162443.tif 000018